(57)【要約】【課題】車両用の決済装置を使用する施設の選択およびその施設で決済に使用するＩＣカードの選択を容易にする。【解決手段】決済カード切替装置１０において、走行予定経路取得部１３が自車の走行予定経路を取得し、決済可能施設抽出部１４がその走行予定経路上に位置する決済可能施設を抽出する。カード選択部１５は、決済可能施設抽出部１４によって抽出された施設ごとに、決済に使用するＩＣカードを選択する。決済装置２０は、決済可能施設抽出部１４によって抽出された各施設において、カード選択部１５による選択結果に従ったＩＣカードを用いて決済を行う。【選択図】図１
2016224754.tif 000002
【特許請求の範囲】
【請求項１】
路側装置との通信により決済を行う決済装置が使用可能な１以上のＩＣカードのカード情報を記憶するカード情報記憶部と、
自車の走行予定経路を取得する走行予定経路取得部と、
前記走行予定経路上に位置し前記決済装置による決済が可能な施設を抽出する決済可能施設抽出部と、
ユーザの指示に従って、前記カード情報記憶部に登録されているＩＣカードのうちから、前記決済可能施設抽出部が抽出した施設ごとに、決済に使用するＩＣカードを選択するカード選択部と、
前記決済可能施設抽出部が抽出した施設で前記決済装置が決済を行う際に、前記カード選択部によるＩＣカードの選択結果に従って、その施設で決済に使用するＩＣカードのカード情報を前記決済装置に送信するカード情報送信部と、を備える
ことを特徴とする決済カード切替装置。
【請求項２】
前記決済可能施設抽出部が抽出した施設を表示装置に表示させ、前記表示装置に表示された施設のいずれかをユーザが選択すると、その施設で決済に使用するＩＣカードをユーザが選択するための画面を前記表示装置に表示させる
請求項１に記載の決済カード切替装置。
【請求項３】
前記決済可能施設抽出部が抽出した施設を地図に重畳させて前記表示装置に表示させる
請求項２に記載の決済カード切替装置。
【請求項４】
前記自車が、前記決済可能施設抽出部が抽出した施設のうち、決済に使用するＩＣカードが未選択の施設に近づくと、その施設で決済に使用するＩＣカードをユーザが選択するための画面を表示装置に表示させる
請求項１から請求項３のいずれか一項に記載の決済カード切替装置。
【請求項５】
前記カード情報記憶部に記憶させるＩＣカードのカード情報を、通信によって外部のサーバーまたは情報端末から取得するカード情報取得部をさらに備える
請求項１から請求項４のいずれか一項に記載の決済カード切替装置。
【請求項６】
決済カード切替装置の走行予定経路取得部が、自車の走行予定経路を取得し、
前記決済カード切替装置の決済可能施設抽出部が、前記走行予定経路上に位置し車両用決済装置による決済が可能な施設を抽出し、
前記決済カード切替装置のカード選択部が、前記決済可能施設抽出部によって抽出された施設ごとに、決済に使用するＩＣカードを選択し、
前記車両用決済装置が、前記決済可能施設抽出部によって抽出された施設において、前記カード選択部によるＩＣカードの選択結果に従ったＩＣカードのカード情報を用いて決済を行う
ことを特徴とする車両用決済装置を用いた決済方法。
【発明の詳細な説明】
【技術分野】
【０００１】
本発明は、車両用の決済装置に関し、特に、決済に使用するＩＣカードの切り替えに関するものである。
【背景技術】
【０００２】
有料道路の料金所やドライブスルーの店舗等で料金の決済を行う車両用決済装置が知られている（例えば、下記の特許文献１）。特許文献１の車両用決済装置は、決済に使用するＩＣカードを、複数のＩＣカードから選択可能となっており、どの施設でどのＩＣカードを使用するかを予め登録可能となっている。それにより、車両用決済装置へのＩＣカードの挿入およびＩＣカードの交換の手間を無くすことができる。
【先行技術文献】
【特許文献】
【０００３】
【特許文献１】特開２０１２−２０３６２１号公報
【発明の概要】
【発明が解決しようとする課題】
【０００４】
特許文献１の車両用決済装置は、どの施設でどのＩＣカードを使用するかを予め登録可能であるが、今後、車両用決済装置を利用できる施設が増えると、車両用決済装置を使用する施設の選択およびその施設で決済に使用するＩＣカードの選択が煩雑になるおそれがある。
【０００５】
本発明は以上のような課題を解決するためになされたものであり、車両用の決済装置を使用する施設の選択およびその施設で決済に使用するＩＣカードの選択を容易にする決済カード切替装置を提供することを目的とする。
【課題を解決するための手段】
【０００６】
本発明に係る決済カード切替装置は、路側装置との通信により決済を行う決済装置が使用可能な１以上のＩＣカードのカード情報を記憶するカード情報記憶部と、自車の走行予定経路を取得する走行予定経路取得部と、前記走行予定経路上に位置し前記決済装置による決済が可能な施設を抽出する決済可能施設抽出部と、ユーザの指示に従って、前記カード情報記憶部に登録されているＩＣカードのうちから、前記決済可能施設抽出部が抽出した施設ごとに、決済に使用するＩＣカードを選択するカード選択部と、前記決済可能施設抽出部が抽出した施設で前記決済装置が決済を行う際に、前記カード選択部によるＩＣカードの選択結果に従って、その施設で決済に使用するＩＣカードのカード情報を前記決済装置に送信するカード情報送信部と、を備えるものである。
【発明の効果】
【０００７】
本発明に係る決済カード切替装置によれば、決済装置による決済を行う施設の候補が走行予定経路上に位置するものに絞り込まれるため、ユーザは、決済装置を使用する施設の選択およびその施設で決済に使用するＩＣカードの選択を容易に行えるようになる。
【０００８】
本発明の目的、特徴、態様、および利点は、以下の詳細な説明と添付図面とによって、より明白となる。
【図面の簡単な説明】
【０００９】
【図１】本発明の実施の形態に係る車両用決済システムの構成を示す図である。
【図２】本発明の実施の形態に係る決済カード切替装置のハードウェア構成図である。
【図３】本発明の実施の形態に係る決済カード切替装置におけるＩＣカード登録処理を示すフローチャートである。
【図４】本発明の実施の形態に係る決済カード切替装置におけるＩＣカード選択処理を示すフローチャートである。
【図５】本発明の実施の形態に係る車両用決済システムにおける画面の表示例を示す図である。
【図６】本発明の実施の形態に係る車両用決済システムにおける画面の表示例を示す図である。
【図７】本発明の実施の形態に係る車両用決済システムにおける画面の表示例を示す図である。
【図８】本発明の実施の形態に係る車両用決済システムにおける画面の表示例を示す図である。
【図９】本発明の実施の形態に係る決済カード切替装置におけるカード情報設定処理を示すフローチャートである。
【発明を実施するための形態】
【００１０】
図１は、本発明の実施の形態に係る車両用決済システムの構成を示す図である。当該システムは、決済カード切替装置１０と、それに接続された車両用決済装置２０（以下、単に「決済装置」という）、入力装置２１、表示装置２２、地図情報記憶装置２３、位置情報受信装置２４および通信装置２５とから構成されている。
【００１１】
決済装置２０は、例えばＥＴＣ（Electronic Toll Collection System）車載器のように、路側装置との通信により、ＩＣカードのカード情報を使用した決済を自動的に行う装置である。決済装置２０が決済に使用するＩＣカードは変更可能であり、決済装置２０がどのＩＣカードを用いて決済を行うかは、決済カード切替装置１０によって切り替えられる。
【００１２】
入力装置２１は、ユーザが決済カード切替装置１０に対して入力する操作や情報を受け付けるユーザインターフェイスである。入力装置２１は、操作ボタンやマウス等のハードウェアでもよいし、画面に表示されるアイコンを用いたソフトウェアキーでもよい。さらに、ユーザが音声で操作内容を入力する音声認識装置であってもよい。
【００１３】
表示装置２２は、決済装置２０で使用するＩＣカードの選択画面（決済カード選択画面）や、地図情報記憶装置２３から取得した地図情報に基づく地図などをユーザに提示するための装置である。入力装置２１としてのソフトウェアキーを、表示装置２２に表示させる場合、表示装置２２と入力装置２１は、両者の機能を兼ね備えた１つのタッチパネル装置として構成されてもよい。また、表示装置２２および入力装置２１は、スマートフォンなど他の機器を利用して実現してもよい。本実施の形態では、表示装置２２および入力装置２１が、１つのタッチパネル装置を構成しているものとして説明する。
【００１４】
地図情報記憶装置２３は、地図情報が格納された記憶装置である。地図情報には、決済装置２０による決済が可能な有料道路の料金所やドライブスルーの店舗等の施設（決済可能施設）の位置情報、および、各施設での決済に利用可能なＩＣカードの種別などの情報が含まれているものとする。
【００１５】
位置情報受信装置２４は、例えば、ＧＰＳ（Global Positioning System）受信機などのＧＮＳＳ（Global Navigation Satellite System）受信機であり、決済カード切替装置１０を搭載した車両（以下「自車」という）の位置情報を取得する。
【００１６】
通信装置２５は、外部のサーバーや情報端末との通信を行う装置である。決済カード切替装置１０は、通信装置２５を通して、外部のサーバーや情報端末から、決済装置２０が使用するＩＣカードのカード情報を取得することができる。
【００１７】
図１のように、決済カード切替装置１０は、カード情報記憶部１１、カード情報取得部１２、走行予定経路取得部１３、決済可能施設抽出部１４、カード選択部１５、カード選択結果記憶部１６、カード情報送信部１７、現在位置判断部１８および制御部１９を含む構成となっている。
【００１８】
カード情報記憶部１１は、決済装置２０が使用可能な１以上のＩＣカードのカード情報を記憶する。カード情報取得部１２は、通信装置２５を通して、外部のサーバーや情報端末から、カード情報記憶部１１に記憶させるＩＣカードのカード情報を取得する。
【００１９】
走行予定経路取得部１３は、自車のナビゲーション装置（不図示）から、自車の走行予定経路を取得する。あるいは、走行予定経路取得部１３が、位置情報受信装置２４から取得した自車の位置情報と、地図情報記憶装置２３から取得した地図情報と、ユーザが設定した目的地の情報とから、自車の走行予定経路を算出する機能を有してもよい。
【００２０】
決済可能施設抽出部１４は、走行予定経路取得部１３が取得した自車の走行予定経路および地図情報記憶装置２３に記憶されている地図情報に基づいて、自車の走行予定経路上に位置する決済可能施設を抽出する。
【００２１】
カード選択部１５は、入力装置２１から入力されるユーザの指示に従って、カード情報記憶部１１に登録されているＩＣカードのうちから、決済可能施設抽出部１４が抽出した施設（自車の走行予定経路上の決済可能施設）ごとに、決済に使用するＩＣカードを選択する。カード選択結果記憶部１６は、カード選択部１５によるＩＣカードの選択結果を記憶する。
【００２２】
なお、ユーザは、決済可能施設抽出部１４が抽出した施設の全てについて、決済に使用するＩＣカードを選択する必要はない。例えば、立ち寄る予定のない施設については、ＩＣカードの選択を省略してもよい。その場合、ＩＣカードの選択を省略した施設に対しては、特定のＩＣカード（デフォルトのＩＣカード）が自動的に設定されるようにしてもよい。
【００２３】
カード情報送信部１７は、決済可能施設抽出部１４が抽出した施設で決済装置２０が決済を行う際に、カード選択部１５によるＩＣカードの選択結果に従って、その施設で決済に使用するＩＣカードのカード情報を決済装置２０に送信する。
【００２４】
現在位置判断部１８は、位置情報受信装置２４から取得した自車の位置情報と地図情報記憶装置２３から取得した地図情報とから、地図上における自車の現在位置を判断する。後述するように、本実施の形態では、決済カード切替装置１０は、自車の現在位置が走行予定経路上の決済可能施設に近づいたときに、その施設で決済に使用するＩＣカードのカード情報を決済装置２０に送信するように動作する。ここで、「施設に近づいたとき」は、例えば、施設までの距離が予め定められた閾値以下になったときと定義してもよいし、施設までの所要時間が予め定められた閾値以下になったときと定義してもよい。
【００２５】
以上の各要素の動作は、制御部１９によって統括的に制御されている。
【００２６】
図２は、決済カード切替装置１０のハードウェア構成を示す図である。図２のように、決済カード切替装置１０は、少なくとも処理回路５１、メモリ５２、入出力インターフェイス５３を含む構成となっている。
【００２７】
決済装置２０、入力装置２１、表示装置２２、地図情報記憶装置２３、位置情報受信装置２４および通信装置２５は、入出力インターフェイス５３に接続される。図１では、決済装置２０、入力装置２１、表示装置２２、地図情報記憶装置２３、位置情報受信装置２４および通信装置２５が、決済カード切替装置１０に外付けされた構成としたが、それらのハードウェアが決済カード切替装置１０の内部に配設されるようにしてもよい。
【００２８】
決済カード切替装置１０におけるカード情報取得部１２、走行予定経路取得部１３、決済可能施設抽出部１４、カード選択部１５、カード情報送信部１７、現在位置判断部１８および制御部１９の各機能は、処理回路５１により実現される。すなわち、決済カード切替装置１０は、走行予定経路取得部１３が、自車の走行予定経路を取得し、決済可能施設抽出部１４が、走行予定経路上に位置し決済装置による決済が可能な施設を抽出し、カード選択部１５が、決済可能施設抽出部１４によって抽出された施設ごとに決済に使用するＩＣカードを選択し、カード情報送信部１７が、カード選択部１５によるＩＣカードの選択結果に従って、各施設で決済に使用するＩＣカードのカード情報を決済装置２０に送信するための処理回路５１を備える。処理回路５１は、メモリ５２に格納されるプログラムを実行するＣＰＵ（Central Processing Unit、中央処理装置、処理装置、演算装置、マイクロプロセッサ、マイクロコンピュータ、プロセッサ、ＤＳＰともいう）である。
【００２９】
カード情報取得部１２、走行予定経路取得部１３、決済可能施設抽出部１４、カード選択部１５、カード情報送信部１７、現在位置判断部１８および制御部１９の機能は、ソフトウェア、ファームウェア、またはソフトウェアとファームウェアとの組み合わせにより実現される。ソフトウェアやファームウェアはプログラムとして記述され、メモリ５２に格納される。処理回路５１は、メモリ５２に記憶されたプログラムを読み出して実行することにより、各部の機能を実現する。すなわち、決済カード切替装置１０は、処理回路５１により実行されるときに、走行予定経路取得部１３が、自車の走行予定経路を取得するステップと、決済可能施設抽出部１４が、走行予定経路上に位置し決済装置による決済が可能な施設を抽出するステップと、カード選択部１５が、決済可能施設抽出部１４によって抽出された施設ごとに決済に使用するＩＣカードを選択するステップと、カード情報送信部１７が、カード選択部１５によるＩＣカードの選択結果に従って、各施設で決済に使用するＩＣカードのカード情報を決済装置２０に送信するステップとが結果的に実行されることになるプログラムを格納するためのメモリ５２を備える。また、これらのプログラムは、カード情報取得部１２、走行予定経路取得部１３、決済可能施設抽出部１４、カード選択部１５、カード情報送信部１７、現在位置判断部１８および制御部１９が行う処理の手順や方法をコンピュータに実行させるものであるともいえる。ここで、メモリ５２は、例えば、ＲＡＭ（Random-Access Memory）、ＲＯＭ（Read-Only Memory）、フラッシュメモリ、ＥＰＲＯＭ（Erasable Programmable Read-Only Memory）、ＥＥＰＲＯＭ（Electrically Erasable Programmable Read-Only Memory）等の、不揮発性または揮発性の半導体メモリや、磁気ディスク、フレキシブルディスク、光ディスク、コンパクトディスク、ミニディスク、ＤＶＤ（Digital Versatile Disc）等が該当する。また、メモリ５２の記憶領域の一部は、カード情報記憶部１１およびカード選択結果記憶部１６として利用される。
【００３０】
次に、本実施の形態に係る決済カード切替装置１０の動作を説明する。以下では、決済カード切替装置１０は自車のナビゲーション装置（不図示）と連係して動作するものと仮定して説明する。例えば、入力装置２１はナビゲーション装置の操作にも利用され、表示装置２２にはナビゲーション装置が算出した経路の表示にも利用される。
【００３１】
先に述べたように、決済カード切替装置１０は、決済装置２０が使用するＩＣカードの切り替えを行う装置である。そのため、決済カード切替装置１０のカード情報記憶部１１には、決済に使用するＩＣカードのカード情報を複数登録することができる。
【００３２】
図３は、決済カード切替装置１０がカード情報記憶部１１にＩＣカードのカード情報を登録する処理（ＩＣカード登録処理）を示すフローチャートである。ユーザが入力装置２１を用いて決済カード切替装置１０にＩＣカードの登録を指示すると、決済カード切替装置１０のカード情報取得部１２が、通信装置２５を用いて外部のサーバーや情報端末から、新たに登録するＩＣカードのカード情報を取得する（ステップＳ１１）。カード情報取得部１２が取得したＩＣカードのカード情報は、カード情報記憶部１１に記憶される（ステップＳ１２）。それにより、当該ＩＣカードの登録が完了する。
【００３３】
図４は、決済カード切替装置１０が各施設で決済に使用するＩＣカードを決定する処理（ＩＣカード選択処理）を示すフローチャートである。まず、ＩＣカードの選択に先だって、決済カード切替装置１０の走行予定経路取得部１３は、自車のナビゲーション装置から、自車の走行予定経路を取得する（ステップＳ２１）。
【００３４】
カード情報取得部１２が自車の走行予定経路を取得すると、決済可能施設抽出部１４が、その走行予定経路上に位置し、決済装置２０による決済が可能な施設（決済可能施設）を抽出する（ステップＳ２２）。決済可能施設の位置情報は、地図情報記憶装置２３に記憶されている地図情報に含まれている。
【００３５】
次に、カード選択部１５が、入力装置２１から入力されるユーザの指示に従って、カード情報記憶部１１に登録されているＩＣカードのうちから、決済可能施設抽出部１４が抽出した施設ごとに、決済に使用するＩＣカードを選択する（ステップＳ２３）。決済可能施設ごとのＩＣカードの選択結果は、カード選択結果記憶部１６に記憶される（ステップＳ２４）。
【００３６】
例えば、図５のように、表示装置２２に自車の走行予定経路を表示させる画面に、走行予定経路上の各決済可能施設で決済に用いるＩＣカードを選択するための画面（決済カード選択画面）を呼び出すアイコン（「決済カード選択」のボタン）を設け、ユーザが当該アイコンを操作すると、図６のような決済カード選択画面が表示装置２２に表示されるようにするとよい。
【００３７】
また例えば、図７のように、走行予定経路上の決済可能施設（表示装置２２に決済可能施設抽出部１４が抽出した施設）を地図に重畳させて表示し、ユーザが表示装置２２に表示された決済可能施設のいずれか（ここではレストランＲ１）を選択すると、図８のように、その施設で決済に用いるＩＣカードを選択するための決済カード選択画面が表示装置２２に表示されるようにしてもよい。
【００３８】
ユーザは、図６または図８のような決済カード選択画面を操作して、走行予定経路上の各施設で決済に使用するＩＣカードを、カード情報記憶部１１に登録されているＩＣカードの中から任意に選択することができる。ステップＳ２３の処理は、このユーザの操作に従って、カード選択部１５が各施設で使用するＩＣカードを選択することによって行われる。
【００３９】
このように、本実施の形態に係る決済カード切替装置１０によれば、決済装置２０による決済を行う施設の候補が走行予定経路上に位置するものに絞り込まれるため、ユーザは、決済装置２０を使用する施設の選択およびその施設で決済に使用するＩＣカードの選択を容易に行うことができる。
【００４０】
次に、自車の走行中における決済カード切替装置１０の動作を説明する。図９はその動作を示すフローチャートである。
【００４１】
自車が走行を開始すると、現在位置判断部１８は、位置情報受信装置２４から取得した自車の位置情報と地図情報記憶装置２３から取得した地図情報とから、地図上における自車の現在位置を判断する。決済カード切替装置１０は、自車が走行予定経路上の決済可能施設（決済可能施設抽出部１４が抽出した施設）に近づくまで待機する（ステップＳ３１）。
【００４２】
自車が走行予定経路上の決済可能施設に近づくと（ステップＳ３１でＹＥＳ）、制御部１９が、カード選択結果記憶部１６に記憶されているＩＣカードの選択結果を参照して、当該施設で使用するＩＣカードが選択済みか否かを確認する（ステップＳ３２）。当該施設で使用するＩＣカードが選択済みであれば（ステップＳ３２でＹＥＳ）、カード情報送信部１７が、そのＩＣカードのカード情報を決済装置２０へ送信する（ステップＳ３３）。
【００４３】
一方、当該施設で使用するＩＣカードが未選択であったときは（ステップＳ３２でＮＯ）、例えば「カード利用可能な施設に近づきました。支払時に利用したいカードを選択してください。」などの音声メッセージと共に、図８のような決済カード選択画面を表示して、ユーザに当該施設で使用するＩＣカードの選択を促す（ステップＳ３４）。その後、ユーザの指示に従って、カード選択部１５が当該施設で使用するＩＣカードを選択する（ステップＳ３５）。当該施設で使用するＩＣカードが選択されると、カード情報送信部１７が、そのＩＣカードのカード情報を決済装置２０へ送信する（ステップＳ３３）。
【００４４】
決済カード切替装置１０は、以上の動作を自車が目的地へ到着するまで繰り返し実行する。
【００４５】
なお、ステップＳ３１では、走行予定経路上の決済可能施設のうちの特定の施設に近づいた場合にのみ「ＹＥＳ」と判断されるようにしてもよい。例えば、ユーザが予め指定した決済可能施設に近づいた場合や、ユーザが予め指定したジャンルの決済可能施設に近づいた場合にだけ「ＹＥＳ」と判断されるようにしてもよい。
【００４６】
また、自車が決済可能施設に近づいたときに、その施設で使用するＩＣカードが未選択だった場合（ステップＳ３２でＮＯの場合）、ステップＳ３４を省略し、ステップＳ３５でカード選択部１５が特定のＩＣカード（デフォルトのＩＣカード）を自動的に選択するようにしてもよい。
【００４７】
なお、本発明は、その発明の範囲内において、各実施の形態を自由に組み合わせたり、各実施の形態を適宜、変形、省略することが可能である。
【符号の説明】
【００４８】
１０  決済カード切替装置、１１  カード情報記憶部、１２  カード情報取得部、１３  走行予定経路取得部、１４  決済可能施設抽出部、１５  カード選択部、１６  カード選択結果記憶部、１７  カード情報送信部、１８  現在位置判断部、１９  制御部、２０  車両用決済装置、２１  入力装置、２２  表示装置、２３  地図情報記憶装置、２４  位置情報受信装置、２５  通信装置、５１  処理回路、５２  メモリ、５３  入出力インターフェイス。
【図１】
2016224754.tif 000003
【図２】
2016224754.tif 000004
【図３】
2016224754.tif 000005
【図４】
2016224754.tif 000006
【図５】
2016224754.tif 000007
【図６】
2016224754.tif 000008
【図７】
2016224754.tif 000009
【図８】
2016224754.tif 000010
【図９】
2016224754.tif 000011